(57)【要約】【課題】輸送や移動時の、水槽の固定を容易にしたドラム式洗濯機を提供する。【解決手段】水槽３の底面に固定された軸受６８で軸支された回転ドラム２と、回転ドラム２を回転駆動するドラム駆動モータ７からなる水槽ユニット５を、洗濯機筐体６の基底部６ａに下端が固定された防振ダンパー７０でその重心位置より正面側の位置で支持し、水槽ユニット５の背面側上部外面に固定されかつ第１のコイルバネ７１で正面側に付勢された上部支持金具７５と、軸受６８に固定された下部軸受支持金具５１を備え、洗濯機筐体６の背面と、着脱自在の上部固定金具８３を介して上部支持金具７５及び着脱自在の下部固定金具５４を介して下部軸受支持金具５１とをそれぞれネジ固定できるようにしたもので、運送時に上記ネジ固定を行なう事で、移動の際に大きな振動や衝撃を受けても、水槽ユニットや回転ドラムに損傷を与える事が無い。【選択図】図１
2006043104.tif 000002
【特許請求の範囲】
【請求項１】
洗濯機筐体内に水槽ユニットを配し、前記水槽ユニットは、水槽と、前記水槽の底面に固定された軸受で回転自在に軸支された回転ドラムと、前記回転ドラムを回転駆動するドラム駆動モータからなり、前記洗濯機筐体の基底部に下端が固定された防振ダンパーで前記水槽ユニットをその重心位置より正面側寄りの位置で支持し、前記水槽ユニットの背面側上部外面に固定された上部支持金具と、前記上部支持金具を前記洗濯機筐体の少なくとも正面側に弾性的に付勢する付勢手段と、前記軸受に固定された下部軸受支持金具を備え、着脱自在の上部固定金具を介して前記洗濯機筐体の背面と前記上部支持金具、及び着脱自在の下部固定金具を介して前記洗濯機筐体の背面と前記下部軸受支持金具とをそれぞれネジ固定できるようにしたことを特徴とするドラム式洗濯機。
【請求項２】
洗濯機筐体の基底部に固定された支持台を備え、下部軸受支持金具の、軸受との固定部とネジ固定部との間に水平部を設け、前記支持台の前記水平部と対向する位置に開口部を設けたことを特徴とする請求項１に記載のドラム式洗濯機。
【請求項３】
水槽ユニットを洗濯機筐体内に、正面側から背面側に向けて回転ドラムの回転軸が下向きになるように配置した請求項１又は２に記載のドラム式洗濯機。
【発明の詳細な説明】
【技術分野】
【０００１】
本発明は、回転ドラムを収容した水槽を筐体内にサスペンション構造によって支持することにより回転ドラムの回転に伴う振動を抑制する制振構造を備えたドラム式洗濯機に関するものである。
【背景技術】
【０００２】
ドラム式洗濯機では、回転ドラムを、その回転軸方向を水平方向あるいは水平方向から前上がりに傾斜させて収容した水槽が筐体内に配設されているため、洗濯物や給水された水が下方に偏りがちとなり、回転ドラムの回転に伴う振動が発生しやすくなる。特に、回転ドラムを高速で回転させる脱水時に、洗濯物が一方に偏った状態になっていると大きな振動が発生する。このような振動が洗濯機筐体に伝わることを防止するために、回転ドラムを収容した水槽は、防振ダンパーにより洗濯機筐体内に重量支持され、スプリング部材により吊り下げ支持されている。
【０００３】
このように回転ドラムを収容した水槽が、洗濯機筐体内に浮動支持された状態にあると、工場からの出荷時や家庭への納入時等の移動において、振動や衝撃を受けると、水槽は洗濯機筐体内で非常に不安定な状態になる。また、水槽内に収容された回転ドラムは金属製で重量も大きく回転軸が一方端に取り付けられた片支持構造であるため、振動や衝撃により回転軸やドラムに変形が生じる恐れがある。
【０００４】
そこで、ドラム式洗濯機を設置場所に設置するまでの移動時に、水槽を洗濯機筐体に固定して、振動や衝撃により水槽が洗濯機筐体内でその位置が移動しないようにしたドラム式洗濯機が知られている（例えば、特許文献１参照）。
【特許文献１】特開平１０−２６３２７６号公報（第３〜４頁、図１）
【発明の開示】
【発明が解決しようとする課題】
【０００５】
しかしながら、上記特許文献１に開示されたような従来技術に係る水槽の移動時の固定構造は、回転ドラムをその回転軸が水平方向になるようにして水槽内に収容したドラム式洗濯機に適用できる構造であり、水槽の背面は洗濯機筐体の背面と平行になるので、必要に応じて洗濯機筐体の背面に形成された複数の穴にそれぞれ固定部材を装着して洗濯機筐体の背面と水槽との間をネジ固定することができる。
【０００６】
しかし、回転ドラムに対する洗濯物の出し入れを容易にするために回転ドラムを傾斜配置すると、それを収容する水槽も洗濯機筐体内に傾斜した状態に配置されるため、このような水槽の固定構造には適用できないといった課題があった。
【０００７】
本発明は、前記従来の課題を解決するもので、傾斜配置された回転ドラムを水槽内に収容した構造であっても、必要に応じて水槽を洗濯機筐体に固定できるようにしたドラム式洗濯機を提供することを目的とする。
【課題を解決するための手段】
【０００８】
上記従来の課題を解決するために、本発明のドラム式洗濯機は、洗濯機筐体内に水槽ユニットを配し、前記水槽ユニットは、水槽と、前記水槽の底面に固定された軸受で回転自在に軸支された回転ドラムと、前記回転ドラムを回転駆動するドラム駆動モータからなり、前記洗濯機筐体の基底部に下端が固定された防振ダンパーで前記水槽ユニットをその重心位置より正面側寄りの位置で支持し、前記水槽ユニットの背面側上部外面に固定された上部支持金具と、前記上部支持金具を前記洗濯機筐体の少なくとも正面側に弾性的に付勢する付勢手段と、前記軸受に固定された下部軸受支持金具を備え、着脱自在の上部固定金具を介して前記洗濯機筐体の背面と前記上部支持金具、及び着脱自在の下部固定金具を介して前記洗濯機筐体の背面と前記下部軸受支持金具とをそれぞれネジ固定できるようにしたもので、水槽ユニットをその重心位置から正面側寄りの位置で防振ダンパーによって重量支持した場合に、水槽ユニットが背面側に倒れる状態になるのを補正するために水槽の背面側上部に固定された上部支持金具を付勢手段により少なくとも正面側に付勢して水槽ユニットを所定位置に保持しているので、ドラム式洗濯機を移動させる際、上部固定金具を介して上部支持金具と洗濯機筐体の背面とをネジ固定し、下部固定金具を介して下部軸受支持金具と洗濯機筐体の背面とをネジ固定することで、水槽ユニットの洗濯機筐体内での浮動支持状態が拘束され、ドラム式洗濯機の移動の際に大きな振動や衝撃を受けても、水槽ユニットや回転ドラムに損傷が生じることがない。
【０００９】
また、上部支持金具と下部軸受支持金具で振動や衝撃を受けるため、下部軸受支持金具は水槽の重量部を支持する軸受を支持し、上部支持金具により水槽ユニットに部分的な応力がかかるのを防止できるので、水槽ユニットの強度を向上させることができる。
【発明の効果】
【００１０】
本発明によれば、水槽ユニットの洗濯機筐体内への支持角度に関係なく水槽ユニットを洗濯機筐体の背面に固定することができ、ドラム式洗濯機を移動させる際に水槽ユニットを固定して、移動に伴う振動や衝撃によって水槽に損傷が発生することが防止できる。
【発明を実施するための最良の形態】
【００１１】
第１の発明は、洗濯機筐体内に水槽ユニットを配し、前記水槽ユニットは、水槽と、前記水槽の底面に固定された軸受で回転自在に軸支された回転ドラムと、前記回転ドラムを回転駆動するドラム駆動モータからなり、前記洗濯機筐体の基底部に下端が固定された防振ダンパーで前記水槽ユニットをその重心位置より正面側寄りの位置で支持し、前記水槽ユニットの背面側上部外面に固定された上部支持金具と、前記上部支持金具を前記洗濯機筐体の少なくとも正面側に弾性的に付勢する付勢手段と、前記軸受に固定された下部軸受支持金具を備え、着脱自在の上部固定金具を介して前記洗濯機筐体の背面と前記上部支持金具、及び着脱自在の下部固定金具を介して前記洗濯機筐体の背面と前記下部軸受支持金具とをそれぞれネジ固定できるようにしたもので、水槽ユニットをその重心位置から正面側寄りの位置で防振ダンパーによって重量支持した場合に、水槽ユニットが背面側に倒れる状態になるのを補正するために水槽の背面側上部に固定された上部支持金具を付勢手段により少なくとも正面側に付勢して水槽ユニットを所定位置に保持しているので、ドラム式洗濯機を移動させる際、上部固定金具を介して上部支持金具と洗濯機筐体の背面とをネジ固定し、下部固定金具を介して下部軸受支持金具と洗濯機筐体の背面とをネジ固定することで、水槽ユニットの洗濯機筐体内での浮動支持状態が拘束され、ドラム式洗濯機の移動の際に大きな振動や衝撃を受けても、水槽ユニットや回転ドラムに損傷が生じることがない。
【００１２】
また、上部支持金具と下部軸受支持金具で振動や衝撃を受けるため、下部軸受支持金具は水槽の重量部を支持する軸受を支持し、上部支持金具により水槽ユニットに部分的な応力がかかるのを防止できるので、水槽ユニットの強度を向上させることができる。
【００１３】
第２の発明は、特に、第１の発明の洗濯機筐体の基底部に固定された支持台を備え、下部軸受支持金具の、軸受との固定部とネジ固定部との間に水平部を設け、前記支持台の前記水平部と対向する位置に開口部を設けたもので、工場からの出荷時に、洗濯機筐体の下部に設置される発泡スチロールなどの緩衝部材の一部を、支持台に設けた開口部を通して下部軸受支持金具の水平部を支持するようにすれば、水槽ユニットの鉛直方向の荷重・衝撃を受けることができ、上部固定金具と下部固定金具に加わる荷重を軽減することができ、より一層移動に伴う振動や衝撃によって水槽に損傷が発生することが防止できる。
【００１４】
第３の発明は、特に、第１又は第２の発明の水槽ユニットを洗濯機筐体内に、正面側から背面側に向けて回転ドラムの回転軸が下向きになるように配置したもので、洗濯物の出し入れを容易にしたドラム式洗濯機に構成することができ、しかも水槽ユニットの支持構造として上記構成が好適であり、上部支持金具と下部軸受支持金具は洗濯機筐体の背面寄りに配設されるので、背面に設けた上部固定金具と上部支持金具、下部固定金具と下部軸受支持金具との間のネジ固定が容易にできる。
【００１５】
以下本発明の実施の形態について、図面を参照しながら説明する。なお、この実施の形態によって本発明が限定されるものではない。
【００１６】
（実施の形態１）
図１は、本発明の第１の実施の形態におけるドラム式洗濯機の概略断面図、図２は、同ドラム式洗濯機の要部拡大断面図、図３は、同ドラム式洗濯機の防振ダンパーの構成を示す断面図である。
【００１７】
図１は、本実施の形態に係るドラム式洗濯機１において、ドラム式洗濯機１を移動させる際の水槽ユニット５の支持構造を示すものである。前記水槽ユニット５は、有底円筒形で樹脂製の水槽３内に有底円筒形状の回転ドラム２を収容し、回転ドラム２の回転軸２ａを水槽３の背面に設けられた軸受６８で軸支すると共に回転軸２ａにドラム駆動モータ７を連結して構成されている。軸受６８には、途中に水平部５０を設けた下部軸受支持金具５１が取り付けられている。
【００１８】
この水槽ユニット５は、洗濯機筐体６内に前上がりの状態に傾斜させて配設され、水槽３の下部に固定された下部支持金具７４と洗濯機筐体６の基底部６ａに固定された支持台７３との間に左右一対の防振ダンパー７０を配することによって、水槽ユニット５の重量が支持されている。この支持台７３には、下部軸受支持金具５１の水平部５０と対向する位置に開口部５２を設けている。
【００１９】
水槽ユニット５は、その背面側に軸受６８やドラム駆動モータ７などの重量の大きな構成要素が取り付けられているため、重心位置は背面寄りにあり、防振ダンパー７０は水槽ユニット５を、その重心位置より正面側寄りの下方で支持しているので、水槽ユニット５は背面側に倒れる状態にあり、これを補正するために、水槽３の上部に複数本のネジ９８で広範囲にわたって固定された金属製の上部支持金具（水槽補強金具）７５と洗濯機筐体６の上面との間に付勢手段となる第１のコイルバネ７１が架設され、水槽ユニット５を正面側及び上方側に向けて引っ張り付勢している。
【００２０】
この第１のコイルバネ７１に加えて、水槽ユニット５の防振ダンパー７０による支持高さ位置より下方の背面と、洗濯機筐体６の背面との間に第２の付勢手段となる第２のコイルバネ７２を架設すると、水槽ユニット５が背面側に倒れる状態はより確実に補正される。
【００２１】
防振ダンパー７０は、図３に示すように、シリンダ内にオイルを封入したオイルダンパー機構７８と、このオイルダンパー機構７８と同軸に設けられたコイルバネ機構７９とを備えて構成され、オイルダンパー機構７８の下端に固定され、外周部にコイルバネ機構７９が配置された支持軸８４は、洗濯機筐体６の基底部６ａに固定された支持台７３に緩衝材７７を介して固定されている。また、オイルダンパー機構７８を構成するピストンロッド８５は、水槽３の下部に固定された下部支持金具７４に緩衝材７７を介して固定される。
【００２２】
回転ドラム２は、その回転軸方向が図示するように開口する正面側から底面となる背面側に向けて下向きに傾斜配置されているため、洗濯機筐体６の正面側に形成された傾斜面６ｂに開閉自在に設けられた扉体９を開くと、回転ドラム２に対する洗濯物の出し入れする作業に際して腰を屈める具合が少なくてすみ、ドラム式洗濯機１の正面側に余裕のある空間を確保する必要もないので、洗面所などの狭い空間にも設置可能なドラム式洗濯機１に構成することができる。
【００２３】
上記構成により、水槽ユニット５はその重量が防振ダンパー７０によって支持され、重心より正面寄りの位置で支持されることにより背面側に倒れる状態は、第１のコイルバネ７１により弾性的に阻止され、更に第２のコイルバネ７２で補助することにより、水槽ユニット５は所定位置に保持される。また、防振ダンパー７０及び第１、第２の各コイルバネ７１、７２により弾性支持されているため、回転ドラム２の回転に伴う振動が洗濯機筐体６に伝わることが確実に抑制される。
【００２４】
上記構成によるドラム式洗濯機１は、洗濯機筐体６の正面側に設けられた扉体９を開いて回転ドラム２内に洗濯物を投入して運転を開始させることにより、吸水部１２から水槽３内に洗濯物の量に対応する水位まで給水がなされ、ドラム駆動モータ７により回転ドラム２が回転駆動されて洗濯工程、すすぎ工程、脱水工程が順次実行される。
【００２５】
上記構成になるドラム式洗濯機１は、前述したように洗濯機筐体６内に水槽ユニット５を浮動支持しているため、生産現場から倉庫や販売店に輸送したり、販売店から家庭などの設置場所に輸送したり、更には引越しなどによって設置場所を移動する際に、大きな振動や衝撃が加わった場合や、転倒させたり間違った角度に積載された場合に、水槽ユニット５に損傷が生じる恐れがある。
【００２６】
特に、回転ドラム２は金属製で重量も大きく、その回転軸２ａが有底円筒形の底面に取り付けられた片支持状態にあるため、大きな衝撃により回転軸２ａに変形が生じる恐れがある。そこで、ドラム式洗濯機１を移動させる際には水槽ユニット５の浮動状態を拘束し、水槽ユニット５が洗濯機筐体６内で位置移動しないように拘束する拘束構造を設ける必要がある。拘束構造は水槽ユニット５の拘束及び拘束の解除を行う作業が容易に行い得るようにすることが要求される。
【００２７】
以下に、本実施の形態におけるドラム式洗濯機の水槽ユニット５の拘束構造の詳細について述べる。
【００２８】
図１、図２に示すように、樹脂製の水槽３の上部に複数本のボス３ａを広範囲にわたって設け、その複数本のボス３ａに複数本のネジ９８を締め付けることにより固定された金属製の上部支持金具７５に、その一部を切り起こして水槽固定部９７を形成し、この水槽固定部９７の洗濯機筐体６の背面と平行に形成した上部連結部９７ａにネジ穴９７ｂを設けると共に、洗濯機筐体６の背面上部に短冊状板材をロの字状に折り曲げ形成した上部固定金具８３を着脱自在に取り付けられ、洗濯機筐体６の背面側から上部固定金具８３に上部固定ボルト８６を貫通させている。
【００２９】
また、軸受６８の下部に固定された金属製の下部軸受支持金具５１にその先端部を曲げた軸受固定部５３を形成し、洗濯機筐体６の背面と平行に形成した下部連結部５３ａにネジ穴５３ｂを設けると共に、洗濯機筐体６の背面下部に筒状の下部固定金具５４を着脱自在に取り付けられ、洗濯機筐体６の背面側から下部固定金具５４に下部固定ボルト５５を貫通させている。さらに下部軸受支持金具５１の軸受６８との固定部と軸受固定部５３との間には水平部５０が設けられており、この水平部５０と対向する位置に支持台７３の開口部５２が構成されている。
【００３０】
ドラム式洗濯機１の移動に際し水槽ユニット５を拘束する時には、上部固定ボルト８６を回転させながら進出させると、その先端が上部連結部９７ａに設けられたネジ穴９７ｂに螺入して上部連結部９７ａが上部固定金具８３に密着する。同様に、下部固定ボルト５５を回転させながら進出させると、その先端部が下部連結部５３ａに設けられたネジ穴５３ｂに螺入して下部連結部５３ａが下部固定金具５４に密着する。
【００３１】
このようにして、水槽ユニット５は、洗濯機筐体６の背面に固定され、水槽ユニット５の浮動状態は拘束される。また、工場からの出荷時には、ドラム式洗濯機１の下部に設置された発泡スチロール等の緩衝部材（図示せず）の一部は、支持台７３の開口部５２を貫通し、下部軸受支持金具５１の水平部５０を支持するようになっている。
【００３２】
水槽ユニット５の拘束状態を解除するときには、上部固定ボルト８６と下部固定ボルト５５をネジ穴９７ｂとネジ穴５３ｂから抜け出る方向に回転させると、上部固定ボルト８６と下部固定ボルト５５がネジ穴９７ｂとネジ穴５３ｂから抜け出したとき水槽固定部９７が上部固定金具８３から、軸受固定部５３が下部固定金具５４からそれぞれ離れて水槽ユニット５の拘束は解除され、その後、上部固定金具８３と下部固定金具５４を洗濯機筐体６の背面から取り外す。
【００３３】
金属製の下部軸受支持金具５１は軸受６８に固定されているので、軸受６８やドラム駆動モータ７などの重量の大きな構成要素を支持し、さらに緩衝部材の一部で下部軸受支持金具５１の水平部５０を支持して、水槽ユニット５の鉛直方向の荷重・衝撃を受けるため、上部固定金具８３と下部固定金具５４に加わる荷重を軽減することができる。
【００３４】
一方金属製の上部支持金具７５は、樹脂製の水槽３の上部に複数本のネジ９８で広範囲にわたって固定されているので、ドラム式洗濯機１を移動させる際に、上部固定金具８３を介して、上部支持金具７５に力がかかったとしても、上部支持金具７５は金属製であるため破損することはなく、また、水槽３にかかる応力集中を小さくすることができ、樹脂製の水槽３も破損することがないため、ドラム式洗濯機１の移動時の強度を確保することができる。
【００３５】
また、図２に仮想線で示すように、洗濯機筐体６の背面外側に上部固定金具８３を取り外した後の孔部を被覆するカバー８７を開閉可能に設けることにより、孔部から指が不用意に挿入されたりすることを防止できる。また、図２に示す拘束構造を、左右２箇所以上に形成すれば、水槽ユニット５の拘束はより確実になされる。
【００３６】
上記実施の形態では、回転ドラム２を傾斜させて配置したドラム式洗濯機について説明したが、回転ドラム２を水平に配置したドラム式洗濯機においても同様に構成することができることは言うまでもない。
【産業上の利用可能性】
【００３７】
以上のように、本発明にかかるドラム式洗濯機は、回転ドラムを水槽内に収容した水槽ユニットを洗濯機筐体内に浮動支持したドラム式洗濯機を輸送など移動させる際に、水槽や回転ドラムに損傷が発生するのを確実に防止することができるもので、比較的重量がありしかも弾性支持される部品や機構を有する機器に広く適用できる。
【図面の簡単な説明】
【００３８】
【図１】本発明の実施の形態１におけるドラム式洗濯機の概略断面図
【図２】同ドラム式洗濯機の要部拡大断面図
【図３】同ドラム式洗濯機の防振ダンパーの構成を示す断面図
【符号の説明】
【００３９】
１    ドラム式洗濯機
２    回転ドラム
３    水槽
５    水槽ユニット
６    洗濯機筐体
６ａ  基底部
７    ドラム駆動モータ
５０  水平部
５１  下部軸受支持金具
５２  開口部
５４  下部固定金具
５５  下部固定ボルト
６８  軸受
７０  防振ダンパー
７１  第１のコイルバネ（付勢手段）
７２  第２のコイルバネ（第２の付勢手段）
７３  支持台
７４  下部支持金具
７５  上部支持金具
８３  上部固定金具
８６  上部固定ボルト
９７  水槽固定部
９８  ネジ
【図１】
2006043104.tif 000003
【図２】
2006043104.tif 000004
【図３】
2006043104.tif 000005